(57)【要約】  【課題】粉体通過孔に粉体が詰まってしまうことを好適に抑制し得る構成を有した粉体容器等を提供する。  【解決手段】粉体容器Ａを、粉体Ｈを収容し得る収容部を有するとともに当該収容部に収容された粉体Ｈが通過し得る複数の粉体通過孔ｈを有した粉体収容体Ｂと、粉体収容体Ｂの動きに伴って進退動作し粉体収容体Ｂを叩き得る叩き部材を備えているものとした。このようなものであれば、粉体通過孔ｈに粉体Ｈが詰まってしまうことを好適に抑制し得る構成を有した粉体容器Ａを提供することができるものとなる。【選択図】図１
2019073344.tif 000002
【特許請求の範囲】
【請求項１】
粉体を収容し得る収容体本体を有するとともに当該収容体本体に収容された前記粉体が通過して外部に排出され得る粉体通過孔を有し前記収容体本体の開口部に着脱可能に取り付けられた漉し部材とを有した粉体収容体とを備えた粉体容器であって、
前記粉体収容体に取り付けられ前記漉し部材を内部から叩いて振動させ得る叩き具を備えたものであり、
前記叩き具が、前記収容体本体と前記漉し部材との間に挟まれて位置決めされる支持部材と、当該支持部材に片持梁状に支持された叩き部材とを備えたものであり、
前記叩き部材が、前記粉体収容体を把持した使用者の振り出し操作によって惹起される当該粉体収容体の動きに伴って弾性変形により所定の軌道を進退動作し前記漉し部材の内面を叩き得るものである粉体容器。
【請求項２】
粉体を収容し得る収容体本体を有するとともに当該収容体本体に収容された前記粉体が通過して外部に排出され得る粉体通過孔を有し前記収容体本体の開口部に着脱可能に取り付けられた漉し部材とを有した粉体収容体の内部に取り付けられて前記漉し部材を内部から叩いて振動させ得る叩き具であって、
前記収容体本体と前記漉し部材との間に挟まれて位置決めされる支持部材と、当該支持部材に片持梁状に支持された叩き部材とを備えたものであり、
前記叩き部材が、前記粉体収容体を把持した使用者の振り出し操作によって惹起される当該粉体収容体の動きに伴って弾性変形により所定の軌道を進退動作し前記漉し部材の内面を叩き得るものである叩き具。
【発明の詳細な説明】
【技術分野】
【０００１】
本発明は、粉体を収容し得る粉体容器、及び、叩き具に関する。
【背景技術】
【０００２】
従来から、粉体を収容し得る収容部を有した種々の粉体容器が知られている（例えば、特許文献１を参照。）
この種の粉体容器には、収容部に収容された粉体が通過し得る複数の粉体通過孔を有したものが存在する。一般に、粉体容器は、使用者等のいわゆる振り出し操作によって、収容部に収容された粉体が粉体通過孔を通過し、粉体通過孔の数や大きさによって設定された一定量の粉体が外部に排出され得るようになっている。
【０００３】
ところが、従来の粉体容器は、使用者等による振り出し操作が連続的に行われた場合に、その途中段階で粉体通過孔に粉体が詰まってしまい（いわゆる「目詰まり」現象が生じてしまい）、内部の粉体を外部に殆ど排出できなくなってしまうという不具合を有していた。換言すれば、従来の粉体容器は、一定量の粉体を継続的に排出させ難いものとなっていた。
【０００４】
粉体容器の粉体通過孔に粉体が詰まってしまった場合には、使用者等は、粉体容器の振り出し操作を一時的にやめざるを得ないことになる。その後、使用者等は、粉体を排出可能な状態に戻すため、粉体通過孔を有した部分を上に位置させて粉体通過孔に詰まった粉体を収容部に戻すという作業を強いられていた。
【先行技術文献】
【特許文献】
【０００５】
【特許文献１】特開２００２−３６０４３１号公報
【発明の概要】
【発明が解決しようとする課題】
【０００６】
本発明は、このような課題に着目してなされたものであって、少なくとも、粉体通過孔に粉体が詰まってしまうことを好適に抑制し得る構成を有した粉体容器、及び、粉体通過孔に粉体が詰まってしまうことを好適に抑制し得る叩き具を提供することにある。
【課題を解決するための手段】
【０００７】
すなわち、本発明は、次の構成をなしている。
【０００８】
請求項１に記載の発明は、粉体を収容し得る収容体本体を有するとともに当該収容体本体に収容された前記粉体が通過して外部に排出され得る粉体通過孔を有し前記収容体本体の開口部に着脱可能に取り付けられた漉し部材とを有した粉体収容体とを備えた粉体容器であって、前記粉体収容体に取り付けられ前記漉し部材を内部から叩いて振動させ得る叩き具を備えたものであり、前記叩き具が、前記収容体本体と前記漉し部材との間に挟まれて位置決めされる支持部材と、当該支持部材に片持梁状に支持された叩き部材とを備えたものであり、前記叩き部材が、前記粉体収容体を把持した使用者の振り出し操作によって惹起される当該粉体収容体の動きに伴って弾性変形により所定の軌道を進退動作し前記漉し部材の内面を叩き得るものである粉体容器である。
【０００９】
ここで、「粉体収容体の動き」とは、収容体本体に収容された粉体を、粉体通過孔に通過させるために、粉体収容体に与えられる動作をいう。
【００１０】
請求項２に記載の発明は、粉体を収容し得る収容体本体を有するとともに当該収容体本体に収容された前記粉体が通過して外部に排出され得る粉体通過孔を有し前記収容体本体の開口部に着脱可能に取り付けられた漉し部材とを有した粉体収容体の内部に取り付けられて前記漉し部材を内部から叩いて振動させ得る叩き具であって、前記収容体本体と前記漉し部材との間に挟まれて位置決めされる支持部材と、当該支持部材に片持梁状に支持された叩き部材とを備えたものであり、前記叩き部材が、前記粉体収容体を把持した使用者の振り出し操作によって惹起される当該粉体収容体の動きに伴って弾性変形により所定の軌道を進退動作し前記漉し部材の内面を叩き得るものである叩き具である。
【００１１】
【００１２】
【００１３】
【００１４】
【００１５】
【００１６】
【００１７】
【００１８】
【発明の効果】
【００１９】
以上説明したように本発明によれば、少なくとも、粉体通過孔に粉体が詰まってしまうことを好適に抑制し得る構成を有した粉体容器、及び、粉体通過孔に粉体が詰まってしまうことを好適に抑制し得る叩き具を提供することができるものとなる。
【図面の簡単な説明】
【００２０】
【図１】本発明の第一の実施形態を示す斜視図。
【図２】同実施形態における斜視図。
【図３】同実施形態における正面図。
【図４】同実施形態における分解斜視図。
【図５】図３におけるＸ−Ｘ線断面図。
【図６】図５に対応した作用説明図。
【図７】図５に対応した作用説明図。
【図８】本発明の参考例である第二の実施形態を示す斜視図。
【図９】図８におけるＹ−Ｙ線断面図。
【図１０】本発明の参考例である第三の実施形態を示す斜視図。
【図１１】図１０におけるＺ−Ｚ線断面図。
【図１２】本発明の参考例である第四の実施形態を示す断面図。
【図１３】本発明の参考例である第五の実施形態を示す断面図。
【図１４】同実施形態を示す断面図。
【図１５】本発明の参考例である第六の実施形態を示す断面図。
【図１６】同実施形態を示す断面図。
【発明を実施するための形態】
【００２１】
＜第一の実施形態＞
本発明の第一の実施形態を、図１〜７を参照して説明する。この実施形態は、本発明を粉体である抹茶Ｈを収容し得る粉体容器Ａに適用したものである。なお、抹茶Ｈは、図１、及び、図５においてのみ簡略的に示しているが、他の図では省略している。
【００２２】
＜＜粉体容器Ａ＞＞
粉体容器Ａは、粉体である抹茶Ｈを収容し得る収容部たる収容体本体１を有するとともに当該収容体本体１に収容された抹茶Ｈが通過し得る複数の粉体通過孔ｈを有した粉体収容体Ｂと、粉体収容体Ｂの動きに伴って進退動作し粉体収容体Ｂを叩き得る叩き部材５を有した叩き具Ｃと、粉体収容体Ｂに対して着脱可能に装着され得る蓋体Ｄとを備えている。
【００２３】
ここで、「粉体収容体Ｂの動き」とは、収容部である収容体本体１に収容された粉体である抹茶Ｈを粉体通過孔ｈに通過させるために、粉体収容体Ｂに与えられる動作をいう。
【００２４】
＜粉体収容体Ｂ＞
粉体収容体Ｂは、粉体である抹茶Ｈを収容し得るものである。粉体収容体Ｂは、筒状をなす筒状部１１と、筒状部１１における一方の開口部ｊを塞ぐ第一閉塞部である底壁１２と、複数の粉体通過孔ｈを有し筒状部１１における他方の開口部ｋ（以下、単に「開口部ｋ」という。）を塞ぐ第二閉塞部である濾し部材２とを備えている。
【００２５】
この実施形態では、筒状部１１及び底壁１２を主体にして、内部に抹茶Ｈを収容し得る収容空間ｓが形成された有底筒状をなす収容体本体１が構成されている。濾し部材２は、収容体本体１に着脱可能に構成されている。
【００２６】
収容体本体１は、略円形状をなす底壁１２と、底壁１２の外縁から上方に延びる円筒状の筒状部１１とを備えたものである。この実施形態では、収容体本体１は、金属製の部材を主体に構成されている。収容体本体１は、底壁１２と筒状部１１とによって囲まれた箇所を、抹茶Ｈが収容され得る収容空間ｓとしている。
【００２７】
筒状部１１における開放された開口部ｋ側には、筒状部１１における上下方向中央部の外面よりも外側に突出した外側突出部１１１を有している。外側突出部１１１は、鍔状に突出した円環状のものである。外側突出部１１１は、濾し部材２の周縁部２１と係わり合い、当該濾し部材２を収容体本体１から離脱しにくくさせている。
【００２８】
筒状部１１における開放された開口部ｋ側の内面側には、内方に突出した内側突出部たる鍔部１１２を備えている。なお、抹茶Ｈを収容体本体１に密封した未開封状態では、鍔部１１２は、収容体本体１を密封するための図示しない密封用の板材と一体化されている。つまり、鍔部１１２は、円形状をなす密封用の板材を開封のために除去した結果設けられている。鍔部１１２は、筒状部１１に沿って略円環状に設けられている。
【００２９】
濾し部材２は、合成樹脂製のものである。濾し部材２は、収容体本体１の開口部ｋを覆う位置に着脱可能に取り付けられている。
【００３０】
濾し部材２は、筒状部１１の開口部ｋに対応させて略円環状に形成された周縁部２１と、周縁部２１の内側に配されてなり抹茶Ｈを濾すべく複数の粉体通過孔ｈを有し網状に形成された網部２２とを備えている。
【００３１】
周縁部２１は、筒状部１１の開口部ｋに止着し得る形状をなしている。周縁部２１は、開口部ｋに係止し得るものである。周縁部２１は、主要部が開口部ｋの上側に位置する上部壁２１１と、上部壁２１１の外縁から下方に延び開口部ｋの外側に位置する外側部壁２１２と、上部壁２１１の内縁から下方に延び開口部ｋの内側に位置する内側部壁２１３と、上部壁２１１の内縁から内方に向かって伸び上部壁２１１よりも一段低い位置、すなわち、上面を上部壁２１１の上面よりも低い場所に位置させた内延出壁２１４とを備えている。
【００３２】
上部壁２１１には、上方に向けて突出した上突出部２１５が設けられている。外側部壁２１２には、その上下方向中間部に内方に向けて突出する内突出部２１６が設けられている。
【００３３】
網部２２は、所定サイズに設定された複数の粉体通過孔ｈ（網目）を有するものである。網部２２は、全体として略円形状をなしている。網部２２は、周縁部２１に一体的に止着されている。この実施形態では、網部２２の外周縁部が、周縁部２１における内延出壁２１４の下面に溶着されている。
【００３４】
以上に述べた粉体収容体Ｂに叩き具Ｃが設けられている。
【００３５】
＜叩き具Ｃ＞
叩き具Ｃは、粉体収容体Ｂに取り付けられるものである。叩き具Ｃは、粉体通過孔ｈを有した粉体収容体Ｂを叩く機能を発揮することによって、粉体収容体Ｂを振動させ得るものである。叩き具Ｃは、収容空間ｓ内の抹茶Ｈを外部に排出させるために行われる使用者による粉体収容体Ｂに対する振り出し操作の過程において、粉体収容体Ｂを打振させ、当該粉体収容体Ｂの粉体通過孔ｈに抹茶Ｈが詰まることを抑制し得るものである。
【００３６】
ここで、「振り出し操作」とは、粉体収容体Ｂの動きを実現するための操作である。より具体的に言えば、「振り出し操作」とは、粉体収容体Ｂ内に収容された抹茶Ｈを、粉体通過孔ｈを通過させて外部に排出するために、当該粉体収容体Ｂを把持した使用者等によって行われる粉体収容体Ｂに対する往復操作である。
【００３７】
叩き具Ｃは、使用者の振り出し操作によって粉体収容体Ｂが一往復動作する毎に、当該粉体収容体Ｂを構成する漉し部材２を直接的に叩いて振動させ得るように構成されている。この実施形態では、叩き具Ｃは、粉体収容体Ｂとは別個独立した部材により構成されている。つまり、叩き具Ｃは、粉体収容体Ｂを構成する収容体本体１から漉し部材２を離脱させることにより、比較的簡単に粉体収容体Ｂから離脱し得るように構成されている。したがって、叩き具Ｃは、洗浄等のメンテナンス性に優れている。
【００３８】
叩き具Ｃは、抹茶Ｈを外部に排出するために使用者によって粉体収容体Ｂに対する振り出し操作が継続的に行われた場合（すなわち、継続的に粉体収容体Ｂが往復動作した場合）でも、粉体収容体Ｂに連動して継続的に粉体収容体Ｂを叩き得るようになっている。つまり、継続的に抹茶Ｈを振り出すように操作しても、叩き具Ｃの作用によって途中段階で粉体通過孔ｈに抹茶Ｈが詰まることが抑制されるので、継続的に一定量の抹茶Ｈを外部に排出し得るものとなっている。
【００３９】
叩き具Ｃは、先端に当接端を有し粉体収容体Ｂを打つ叩き部材５と、叩き部材５の基端に接続するとともに粉体収容体Ｂに保持される支持部材６とを備えている。換言すれば、叩き具Ｃは、粉体収容体Ｂに取り付けられる支持部材６と、支持部材６に支持され粉体収容体Ｂの動きによってスイング動作することにより粉体収容体Ｂを直接的に叩き得る叩き部材５とを主体に構成されている。この実施形態では、叩き部材５と支持部材６とは、合成樹脂により一体に形成されている。
【００４０】
叩き部材５は、粉体収容体Ｂの動きに伴って進退動作し得るものである。すなわち、叩き部材５は、粉体収容体Ｂを把持した使用者によって惹き起こされる粉体収容体Ｂの往復動作に連動して進退動作し粉体収容体Ｂを直接的に叩き得るものである。叩き部材５は、使用者の振り出し操作による荷重を受けて粉体収容体Ｂの内部において揺動し得るように粉体収容体Ｂに支持されている。叩き部材５は、あらかじめ設定された軌道上を進退動作し得るように構成されたものである。
【００４１】
叩き部材５は、抹茶Ｈを外部に排出するために行われる粉体収容体Ｂの進退方向に概ね沿った方向に進退動作し得るようになっている。叩き部材５は、粉体収容体Ｂにおける濾し部材２を抹茶Ｈが粉体通過孔ｈを通過する方向と概ね同じ方向に叩くことにより、濾し部材２を振動させ得るものとなっている。
【００４２】
叩き部材５は、円環状の支持部材６を介して粉体収容体Ｂに支持されており、粉体収容体Ｂに直接的に当接する当接位置（Ｔ）と粉体収容体Ｂに当接しない（すなわち粉体収容体Ｂから離間した）非当接位置（Ｕ）とを採り得るものとなっている。
【００４３】
叩き部材５は、支持部材６に片持梁状に支持されている。この実施形態では、叩き部材５の初期位置は、粉体収容体Ｂに当接していない位置に設定されている。叩き部材５は、粉体収容体Ｂの動きに伴って進退動作し得るとともに粉体収容体Ｂに対して相対変位し得るものとなっている。換言すれば、叩き部材５は、粉体収容体Ｂ内において揺れ動くものである。なお、叩き部材５の進退動作は、使用者の振り出し操作による荷重を受けた叩き部材５及び支持部材６の弾性変形によって行われる。
【００４４】
叩き部材５は、基端が支持部材６に一体化されたアーム部５２と、このアーム部５２の先端側に形成された叩き部５１とを備えている。
【００４５】
アーム部５２は、円環状をなす支持部材６の内側に延出した板状のものである。この実施形態では、アーム部５２の厚み寸法は、支持部材６の厚み寸法と略同じ値に設定されている。アーム部５２は、粉体収容体Ｂの動き（往復動作）に伴って弾性変形が惹き起こされ、収容空間ｓ内を進退動作し得るように構成されている。
【００４６】
叩き部５１は、塊状のものである。この実施形態では、叩き部５１は、略円柱状をなしている。叩き部５１は、粉体収容体Ｂの動きに伴って当該粉体収容体Ｂと相対変位しやすいように一定の重さを備えている。叩き部５１の先端部分ｔは、粉体収容体Ｂの漉し部材２に直接的に当接し得る部位であり、半球状に形成されている。叩き部５１における基端部分は、アーム部５２の先端に一体化されている。
【００４７】
支持部材６は、粉体収容体Ｂに保持され得るものである。支持部材６は、板状の部材により円環状に形成されている。支持部材６は、濾し部材２における内側部壁２１３と収容体本体１における鍔部１１２との間に配設されている。換言すれば、支持部材６は、濾し部材２と収容体本体１とによって所定の位置に位置決めされている。すなわち、円環状の支持部材６は、収容体本体１における筒状部１１の内面に近接した位置に配されるとともに濾し部材２における周縁部２１の内部側壁２１３と収容体本体１における筒状部１１の鍔部１１２とによって挟まれ得る位置に設けられており、移動が抑制されている。
【００４８】
＜蓋体Ｄ＞
蓋体Ｄは、粉体収容体Ｂから排出され得る抹茶Ｈが不使用時に外部に飛散してしまうのを抑制するものである。蓋体Ｄは、天蓋部８と、天蓋部８の外縁から下方に垂下させた側蓋部９とを備えている。天蓋部８は、平面視において略円形状をなしている。側蓋部９は、略円筒状をなしている。蓋体Ｄは、プレスによって成型された金属製のものである。天蓋部８と側蓋部９とは一体に形成されている。
【００４９】
蓋体Ｄは、粉体収容体Ｂに装着された状態において、濾し部材２における周縁部２１の外側部壁２１２が、筒状部１１の開口部ｋと蓋体Ｄとの間に位置している。このように構成することで、蓋体Ｄは、収容空間ｓと外部空間との連通を阻止して収容空間ｓの密閉性を保持している。
【００５０】
＜粉体容器Ａの使用態様について＞
以下、この粉体容器Ａの使用態様の一例を説明する。
【００５１】
まず、使用者は、蓋体Ｄが外された状態の粉体収容体Ｂの筒状部１１等を把持する。
【００５２】
次いで、使用者は、収容体本体１内の抹茶Ｈが濾し部材２から排出され得るようにするべく、例えば、濾し部材２が斜め下に位置するように粉体収容体Ｂを傾ける。
【００５３】
続いて、使用者は、濾し部材２の網部２２に形成された複数の粉体通過孔ｈに抹茶Ｈを通過させるべく、粉体収容体Ｂを振り出し操作する。収容体本体１の収容空間ｓ内に存在する抹茶Ｈは、網部２２を通過することにより、外部に排出されることになる。収容体本体１内において、抹茶Ｈが塊状のもの（いわゆる「ダマ」と称される態様）になっていても、網部２２を通過することによって濾され、さらさらとした粉末状に復帰することになる。
【００５４】
粉体収容体Ｂに取り付けられた叩き具Ｃは、使用者による連続的な振り出し操作に連動して、粉体収容体Ｂを連続的に叩くことになる。すなわち、使用者が粉体収容体Ｂを振り出し操作すると、主として叩き部材５が収容空間ｓ内を部材の弾性変形により所定の軌道上を往復動作し、網部２２の近傍に直接的に当接する当接位置（Ｔ）と網部２２から離間した非当接位置（Ｕ）をとることになる。叩き部材５の初期位置は漉し部材２から離れた位置に設定されているため、使用者による振り出し操作が終了すると、叩き部材５は弾性変形による進退動作を終えて、漉し部材２から離間した初期位置に復帰することになる。
【００５５】
叩き部材５が、粉体収容体Ｂにおける濾し部材２を叩くことにより、複数の粉体通過孔ｈを有した網部２２全体が振動することになる。叩き部材５は、主としてアーム部５２の弾性変形によって、一定の重量を備えた叩き部５１が大きく進退動作するものとなる。基本的には、使用者の振り出し操作に連動して、叩き部材５は、抹茶Ｈを振り出すための粉体収容体Ｂに対する一往復操作毎に網部２２近傍を一回叩くことになる。抹茶Ｈは、粉体通過孔ｈ内に滞留し目詰まり現象を発生させる前に、叩き具Ｃによる振動を受けることになり、粉体通過孔ｈ内における滞留が解かれ外部に排出されるものとなる。
【００５６】
このようにすることによって、本実施形態に係る粉体容器Ａは、叩き具Ｃの打振機能により、抹茶Ｈを排出するための継続的な振り出し操作を行ったとしても、一定量の抹茶Ｈを継続的に排出し得るものとなっている。
【００５７】
以上説明したように、本実施形態における粉体容器Ａは、粉体である抹茶Ｈを収容し得
る収容部たる収容体本体１を有するとともに当該収容体本体１に収容された抹茶Ｈが通過し得る複数の粉体通過孔ｈを有した粉体収容体Ｂと、粉体収容体Ｂの動きに伴って進退動作し粉体収容体Ｂを叩き得る叩き部材５を有した叩き具Ｃを備えている。このため、粉体通過孔ｈに粉体である抹茶Ｈが詰まってしまうことを好適に抑制し得る構成を有した粉体容器Ａ、及び、粉体通過孔ｈに抹茶Ｈが詰まってしまうことを好適に抑制し得る叩き具Ｃを提供することができるものとなる。
【００５８】
つまり、叩き具Ｃが、粉体収容体Ｂの動きに伴って進退動作し粉体収容体Ｂを叩き得る叩き部材５を有したものであるため、粉体収容体Ｂを動作させる度に粉体通過孔ｈを有した粉体収容体Ｂを振動させることができるものとなる。このため、粉体収容体Ｂから抹茶Ｈを継続的に振り出し操作しても、抹茶Ｈが粉体通過孔ｈに詰まってしまうこと（いわゆる目詰まり現象の発生）を好適に抑制することができるものとなる。例えば、ケーキ等の広い領域に所定量の抹茶Ｈを振りかけるような場面では、作業を途切れさせることなく、所定量の抹茶Ｈを粉体収容体Ｂから継続的に排出させることができるものとなる。
【００５９】
特に、抹茶Ｈのような概ね１００μｍ以下の極めて小さな粒子により構成されている粉体であると、目詰まり現象が生じやすいものとなる。しかしながら、抹茶Ｈを収容した粉体収容体Ｂに叩き具Ｃを適用することにより、振り出し操作が継続的に繰り返された場合でも、粉体通過孔ｈの目詰まりが好適に解消され得るものとなっている。
【００６０】
叩き部材５が、粉体収容体Ｂの内部において進退動作し得るように支持されている。このため、粉体収容体Ｂの操作において叩き具Ｃが邪魔になるようなことが好適に抑制される。また、叩き具Ｃを視認させ難いものとなるため、使用者は、叩き具Ｃの存在にとらわれることなく、抹茶Ｈを排出するための自然な振り出し操作を行ない得るものとなっている。
【００６１】
叩き部材５が、粉体収容体Ｂに支持されており、粉体収容体Ｂに当接する当接位置（Ｔ）と粉体収容体Ｂに当接しない非当接位置（Ｕ）とを採り得るものである。このため、叩き部材５が、粉体収容体Ｂの動きに連動して好適に粉体収容体Ｂを叩いて振動させ得るものとなっている。
【００６２】
粉体収容体Ｂが、筒状をなす筒状部１１と、筒状部１１における一方の開口部ｊを塞ぐ第一閉塞部たる底壁１２と、粉体通過孔ｈを有し筒状部１１における他方の開口部ｋを塞ぐ第二閉塞部たる濾し部材２とを備えている。このため、粉体収容体Ｂは抹茶Ｈを好適に収容し得るとともに抹茶Ｈを排出し易い形態をなしたものとなっている。
【００６３】
粉体収容体Ｂの動きが、粉体収容体Ｂを把持した使用者によって惹起されるものである。このため、使用者の操作に連動して叩き部材５が進退動作し得るものとなっている。
【００６４】
粉体収容体Ｂにおける筒状部１１、及び、第一閉塞部である底壁１２を主体にして、有底筒状をなす収容部たる収容体本体１が構成されている。濾し部材２が、収容体本体１に着脱可能に構成されている。このため、抹茶Ｈを収容体本体１に好適に収容し得るものとなっている。
【００６５】
濾し部材２が、他方の開口部ｋに係止し得る環状の周縁部２１と、周縁部２１の内側に設けられ粉体通過孔ｈが配された粉体濾し部たる網部２２とを備えたものである。このため、濾し部材２が、筒状部１１に好適に係わり得るとともに抹茶Ｈを濾して排出し得る好適な構造を備えたものとなっている。
【００６６】
叩き部材５が、片持梁状に支持されたものである。このため、叩き部材５が、粉体収容
体Ｂの動きに伴って、好適に進退動作し得るものとなっている。
【００６７】
粉体容器Ａは、粉体収容体Ｂに支持された叩き具Ｃを備えている。そして、叩き具Ｃは、粉体収容体Ｂに保持された支持部材６と、この支持部材６に支持された叩き部材５とを備えている。このため、叩き部材５が粉体収容体Ｂの動きに連動して進退動作し得る好適な構成を備えたものとなっている。
【００６８】
＜他の実施形態の説明＞
以下、本発明の参考例である他の実施形態（第二〜第六の実施形態）について、順に説明する。なお、他の実施形態において、第一の実施形態において説明した構成と同一又は対応する構成のものについては、第一の実施形態と同一の符号を付すこととし、図示及び詳細な説明を省略することがある。また、振り出し対象物である抹茶等の粉体については、図示を省略し、説明においては単に粉体と称している。
【００６９】
＜第二の実施形態＞
第二の実施形態は、本発明を、粉体収容体Ｂの内部に取り付け可能に構成された叩き具Ｃに適用したものである。叩き具Ｃは、例えば、粉体を収容し得る収容部たる収容体本体１を有するとともに当該収容体本体１に収容された粉体が通過し得る粉体通過孔ｈを有した粉体収容体Ｂ（図示せず）に取り付けられるものである。叩き具Ｃは、粉体収容体Ｂに保持され得る支持部材６と、この支持部材６に支持され粉体収容体Ｂの動きに伴って進退動作し粉体収容体Ｂを叩き得る叩き部材５を備えている。第二の実施形態では、叩き具Ｃを構成する支持部材６と叩き部材５とは、合成樹脂により一体に形成されている。
【００７０】
支持部材６は、板状をなしている。支持部材６の外面側は、種々の方法で粉体収容体Ｂに接着し得るように構成されている。換言すれば、支持部材６は、外面側に接着面６１を備えている。そして、支持部材６の接着面６１は、止着具や接着剤を介して、例えば、粉体収容体Ｂにおける筒状部１１の内面に接着され得るようになっている。
【００７１】
叩き部材５は、支持部材６の内面側に突設されている。叩き部材５は、支持部材６に片持ち梁状に支持されている。叩き部材５は、基端が支持部材６に一体化されたアーム部５２と、このアーム部５２の先端側に形成された塊状の叩き部５１とを備えている。
【００７２】
叩き具Ｃは、種々の方法で粉体収容体Ｂに取り付けられる。そして、粉体収容体Ｂが振り動かされることに伴って主としてアーム部５２が弾性変形し、叩き部５１の先端部分ｔが粉体収容体Ｂに当たり粉体収容体Ｂを叩き得る進退動作を行い得るようになっている。
【００７３】
＜第三の実施形態＞
第三の実施形態は、本発明を、粉体収容体Ｂの内部に取り付け可能に構成された叩き具Ｃに適用したものである。第三の実施形態は、第二の実施形態のものと比較して、叩き部材５が、支持部材６に対して回動可能に支持されている点において異なっている。
【００７４】
叩き具Ｃは、粉体収容体Ｂに保持され得る支持部材６と、この支持部材６に対して回動可能に支持され粉体収容体Ｂの動きに伴って進退動作し粉体収容体Ｂを叩き得る叩き部材５を備えている。
【００７５】
支持部材６は、例えば、押し出し成型により形成されたものである。支持部材６は、外面側に接着面６１を備えている。また、支持部材６は、内面側に叩き部材５を回動可能に保持し得るための軸保持部６２と、叩き部材５の回動範囲を規制し得るとともに非当接位置（Ｕ）における叩き部材５の叩き対象部位からの最離間位置を規定し得る回動範囲規制部６３とを備えている。
【００７６】
回動範囲規制部６３は、叩き部材５の回動範囲を規制し、粉体収容体Ｂの動きに叩き部材５が好適に連動し得るようにするためのものである。仮に、回動範囲規制部６３がない場合には、叩き部材５の先端部側が叩き対象部位から離れすぎてしまい、粉体収容体Ｂの動きに追従して叩き部材５が進退動作しにくくなる恐れがある。かかる不具合を解消するために、叩き部材５に当接し得る回動範囲規制部６３を設け、叩き部材５の叩き対象部位である漉し部材２からの最も離れた位置を規定している。
【００７７】
叩き部材５は、基端側に軸部５３を有したアーム部５２と、このアーム部５２の先端側に形成された叩き部５１とを備えている。軸部５３は、支持部材６の軸保持部６２によって回動可能に保持され得るようになっている。
【００７８】
＜第四の実施形態＞
第四の実施形態は、本発明を、粉体容器Ａに適用したものである。なお、叩き具Ｃは、第二の実施形態に示したものと略同様のものを適用しているため、詳細な説明を省略する。
【００７９】
第四の実施形態は、第一の実施形態と比較して、粉体収容体Ｂの構成、及び、叩き具Ｃの構成が異なっている。
【００８０】
粉体収容体Ｂは、円筒状をなす筒状部１１と、筒状部１１における一方の開口部ｊを塞ぐ第一閉塞部たるスクリュー式の底蓋１５と、複数の粉体通過孔ｈを有し筒状部１１における他方の開口部ｋを塞ぐ第二閉塞部たる天壁１６とを備えている。底蓋１５は、内面に係合溝ｍｚ１が形成されたスクリュー式のものであり、外面に係合溝ｍｚ２が設けられた筒状部１１に対して螺着可能に構成されている。天壁１６は、蓋体Ｄを装着することができるようになっている。つまり、蓋体Ｄを天壁１６側に装着することにより、外部に粉体が飛散することを好適に抑制することができるようになっている。
【００８１】
第四の実施形態においては、叩き具Ｃにおける叩き部材５が収容空間ｓ内を進退動作して、粉体通過孔ｈを有した天壁１５の内面側を叩き得るように構成されている。
【００８２】
＜第五の実施形態＞
第五の実施形態は、本発明を、粉体収容体Ｂの外側に取り付け可能に構成された叩き具Ｃに適用したものである。
【００８３】
第五の実施形態における叩き具Ｃは、粉体通過孔ｈを有した粉体収容体Ｂの外面側に取り付けて使用されるものである。叩き具Ｃは、粉体収容体Ｂに対して取り付け可能な形態すなわち外嵌め可能な形態をなす支持部材６と、この支持部材６に支持され粉体収容体Ｂの動きに伴って進退動作し粉体収容体Ｂを直接又は間接的に叩き得る叩き部材５を備えている。
【００８４】
支持部材６は、粉体収容体Ｂの下部に外嵌し得る凹陥部６４を備えている。凹陥部６４の下には、叩き部材５が配設され当該叩き部材５が進退動作し得る大きさに設定された叩き部材配設空間６５が設けられている。叩き部材５は、叩き部材配設空間６５内において部材の弾性変形によって進退動作し得るように支持部材６に片持ち梁状に支持されている。
【００８５】
叩き部材５は、粉体収容体Ｂを把持した使用者によって惹起される粉体収容体Ｂの往復動作に連動して進退動作し粉体収容体Ｂにおける底壁１２の外面側を直接的に叩き得るものである。底壁１２の外面を直接的に叩くことにより、粉体収容体Ｂに与えられた振動は
、漉し部材２の粉体通過孔ｈにまで及ぶものとなっている。叩き部材５は、支持部材６の内部において進退動作し得るように支持されている。すなわち、叩き部材５は、粉体収容体Ｂに対して外付けされた支持部材６を介して粉体収容体Ｂに支持されており、粉体収容体Ｂに直接的に当接する当接位置（Ｔ）と粉体収容体Ｂに当接しない非当接位置（Ｕ）とを採り得るものとなっている。
【００８６】
なお、第五の実施形態に示す叩き具５は、粉体収容体Ｂの大きさに適合させて外嵌し得る構造のものを示しているが、このようなものに限られるものではない。つまり、叩き具５は、粉体収容体Ｂの外面（例えば、底壁１２の外面）に接着することにより取り付けられるものであってもよい。
【００８７】
＜第六の実施形態＞
第六の実施形態は、本発明を、粉体収容体Ｂの内部に取り付け可能に構成された叩き具Ｃに適用したものである。叩き具Ｃは、粉体を収容し得る収容部たる収容部本体１を有するとともに当該収容部本体１に収容された粉体が通過し得る粉体通過孔ｈを有した粉体収容体Ｂに取り付けられるものである。叩き具Ｃは、粉体収容体Ｂに保持され得る円環状をなす支持部材６と、この支持部材６に支持され粉体収容体Ｂの動きに伴って進退動作し粉体収容体Ｂを叩き得る叩き部材５を備えている。
【００８８】
叩き部材５は、柱状をなす叩き部５１と、この叩き部５１を支持部材６に支持させるための伸縮可能な架線部５５とを備えている。叩き部５１は、使用者の振り出し操作に伴って移動し得る一定の重さを有した塊状のものであり、例えば、金属製、陶製、合成樹脂製、ガラス製のものが採用されている。架線部５５は、支持部材６と叩き部５１との間に架設された伸縮可能な部材により構成されている。この実施形態では、架線部５５は、支持部材６と叩き部５１との間に複数本（二本）架設されている。架線部５５は、金属製のスプリング状のものや、ゴム紐状のものなどが採用されている。
【００８９】
以上に述べた第二〜第六の実施形態においても、初期の目的を達成し得るものとなっている。
【００９０】
なお、本発明は、上述した各実施形態に示すものに限定されるものではないのはもちろんのことである。
【００９１】
粉体は、抹茶に限られるものではない。粉体としては、塩、砂糖（粉糖を含む）、胡椒、化学調味料、小麦粉、片栗粉、パン粉、コーンスターチ、食用色素、その他の食品系の粉体や、顔料、その他の着色用の粉体や、薬品系の粉体や、化粧品系の粉体等が考えられる。
【００９２】
【００９３】
叩き部材は、アーム部と叩き部とを一体に構成せずに別体のものとしてもよい。例えば、叩き部を、金属製のものやガラス製のものや陶製のものとすれば、比較的コンパクトな大きさであっても粉体収容体を叩いて振動させ得る一定の重量を有したものとなる。
【００９４】
【００９５】
【００９６】
【００９７】
【００９８】
【００９９】
粉体収容体は、種々のものがあり、上述した各実施形態に示されたものに限定されるものではない。例えば、筒状部の上下に、筒状部とは別体をなす部材を着脱可能に取り付けることにより、筒状部内を閉塞するようなものであってもよい。
【０１００】
粉体収容体を構成する筒状部は、円筒状のものに限られるものではなく、例えば、角筒状のものであってもよい。
【０１０１】
【０１０２】
例えば、容器の大きさについては種々設定することができるものであり、本実施形態に示されるものには限定されるものではない。
【０１０３】
収容体本体や蓋体は、金属製のものに限定されるものではなく、樹脂により形成されたものであってもよい。
【０１０４】
上述した実施形態では、濾し部材の網部が樹脂により形成されたものを示しているが、かかる態様のものには限定されず、金属製のものであってもよい。
【０１０５】
その他、各部の具体的構成についても上記実施形態に限られるものではなく、本発明の趣旨を逸脱しない範囲で種々変形が可能である。
【符号の説明】
【０１０６】
Ａ…粉体容器
Ｂ…粉体収容体
Ｃ…叩き具
１…収容体本体（収容部）
２…濾し部材
５…叩き部材
Ｈ…抹茶（粉体）
ｈ…粉体通過孔
【図１】
2019073344.tif 000003
【図２】
2019073344.tif 000004
【図３】
2019073344.tif 000005
【図４】
2019073344.tif 000006
【図５】
2019073344.tif 000007
【図６】
2019073344.tif 000008
【図７】
2019073344.tif 000009
【図８】
2019073344.tif 000010
【図９】
2019073344.tif 000011
【図１０】
2019073344.tif 000012
【図１１】
2019073344.tif 000013
【図１２】
2019073344.tif 000014
【図１３】
2019073344.tif 000015
【図１４】
2019073344.tif 000016
【図１５】
2019073344.tif 000017
【図１６】
2019073344.tif 000018